(57)【要約】【課題】回転する締結部材によって締結され異なる組電池の間を電気的に接続するバスバを十分に保持できる保持部材を提供する。【解決手段】保持部材（プロテクタ１４２）は、単電池１１０を複数備えた第１の組電池１００のターミナル（アノード側ターミナル１３３）と、単電池１１０を複数備えた第２の組電池１００のターミナル（カソード側ターミナル１３４）のそれぞれにボルト１４３によって締結されるバスバ１４１を保持する。プロテクタ１４２の本体部１４２Ｍは、絶縁性を有してバスバ１４１を保持する。プロテクタのスナップフィット１４２ｃは、本体部１４２Ｍに連結され、本体部１４２Ｍを、本体部１４２Ｍとは別の外部部材に取り付ける。プロテクタのリブ１４２ｄは、スナップフィット１４２ｃに連結され、ボルト１４３によるターミナルとバスバ１４１との締結に伴って外部部材に当接してバスバ１４１の回転を規制する。【選択図】図３
2018110082.tif 000002
【特許請求の範囲】
【請求項１】
単電池を複数備えた第１の組電池のターミナルと、単電池を複数備えた第２の組電池のターミナルのそれぞれに締結部材によって締結されるバスバを保持する保持部材であって、
絶縁性を有して前記バスバを保持する保持部と、
前記保持部に連結され、前記保持部を、前記保持部とは別の外部部材に取り付ける取付部と、
前記取付部に連結され、前記締結部材による前記ターミナルと前記バスバとの締結に伴って前記外部部材に当接することで前記バスバの回転を規制する規制部と、を有する保持部材。
【請求項２】
前記保持部は、前記バスバを収容する凹形状を有し、前記凹形状の内側面に、前記バスバと当接して前記バスバを支持する突起が形成されている、請求項１に記載の保持部材。
【請求項３】
絶縁性を備え前記バスバを被覆する凹形状からなり、内側面から内方に向かって突出した突起を備えた被覆部を、さらに有し、
前記被覆部は、前記バスバの一面の側から前記バスバを被覆した状態において、前記バスバの前記一面と対向する他面の側から前記バスバと共に前記保持部に収容される、請求項２に記載の保持部材。
【請求項４】
複数の単電池と、電気的に接続された複数の前記単電池のアノード側の終端に接続したアノード側ターミナルと、電気的に接続された複数の前記単電池のカソード側の終端に接続したカソード側ターミナルと、をそれぞれ備えた複数の組電池と、
第１の前記組電池の前記アノード側ターミナルと、第２の前記組電池の前記カソード側ターミナルと、を電気的に接続するバスバと、
第１の前記組電池の前記アノード側ターミナルと前記バスバの一端とを締結し、第２の前記組電池の前記カソード側ターミナルと前記バスバの他端とを締結する締結部材と、
絶縁性を有して前記バスバを保持する保持部と、前記保持部に連結され、前記保持部を、前記保持部とは別の外部部材に取り付ける取付部と、前記取付部に連結され、前記締結部材による前記ターミナルと前記バスバとの締結に伴って前記外部部材に当接することで前記バスバの回転を規制する規制部と、を備えた保持部材と、を有する組電池パック。
【請求項５】
前記外部部材は、複数の前記単電池を両側から挟み込んで加圧する一対の加圧部材の少なくとも一方であって、
前記取付部は、前記加圧部材に備えられた穴の内縁に当接させて取り付ける、請求項４に記載の組電池パック。
【請求項６】
前記規制部は、前記取付部と対向するように同一の前記穴の内縁に当接させる、請求項５に記載の組電池パック。
【発明の詳細な説明】
【技術分野】
【０００１】
本発明は、保持部材および組電池パックに関する。
【背景技術】
【０００２】
従来から、複数の組電池（バッテリモジュール）から構成される組電池パック（バッテリパック）がある。各々の組電池は、複数積層した単電池（バッテリセル）を電気的に接続して構成している。各々の組電池は、締結部材（ボルト）によって締結されるバスバ等によって電気的に接続している。
（特許文献１を参照。）。
【先行技術文献】
【特許文献】
【０００３】
【特許文献１】再表２０１３／０８４９４２号公報
【発明の概要】
【発明が解決しようとする課題】
【０００４】
特許文献１に記載の構成では、締結部材の回転に従動してバスバが回転すると、バスバに負荷が掛かると共に、バスバと接続する組電池のターミナル等に負荷が掛かる。また、特許文献１に記載の構成では、バスバに応力が掛かったり振動や衝撃が伝播したりしても、バスバおよび組電池のターミナル等に負荷が掛かる。
【０００５】
本発明の目的は、回転する締結部材によって締結され異なる組電池の間を電気的に接続するバスバを十分に保持することができる保持部材および組電池パックを提供することにある。
【課題を解決するための手段】
【０００６】
上記目的を達成するための本発明の保持部材は、単電池を複数備えた第１の組電池のターミナルと、単電池を複数備えた第２の組電池のターミナルのそれぞれに締結部材によって締結されるバスバを保持するものである。保持部材は、保持部と、取付部と、規制部と、を有する。前記保持部は、絶縁性を有して前記バスバを保持する。前記取付部は、前記保持部に連結され、前記保持部を、前記保持部とは別の外部部材に取り付ける。前記規制部は、前記取付部に連結され、前記締結部材による前記ターミナルと前記バスバとの締結に伴って前記外部部材に当接することで前記バスバの回転を規制する。
【０００７】
上記目的を達成するための本発明の組電池パックは、複数の組電池と、バスバと、締結部材と、上記の保持部材と、を有する。前記組電池は、複数の単電池と、電気的に接続された複数の前記単電池のアノード側の終端に接続したアノード側ターミナルと、電気的に接続された複数の前記単電池のカソード側の終端に接続したカソード側ターミナルと、を備えている。前記バスバは、第１の前記組電池の前記アノード側ターミナルと、第２の前記組電池の前記カソード側ターミナルと、を電気的に接続する。前記締結部材は、第１の前記組電池の前記アノード側ターミナルと前記バスバの一端とを締結し、第２の前記組電池の前記カソード側ターミナルと前記バスバの他端とを締結する。
【発明の効果】
【０００８】
かかる保持部材および組電池パックによれば、回転する締結部材によって締結され異なる組電池の間を電気的に接続するバスバを十分に保持することができる。
【図面の簡単な説明】
【０００９】
【図１】実施形態に係る２つの組電池を導電ユニットによって電気的に接続した状態の組電池パックを示す斜視図である。
【図２】図１の組電池パックを部分的に示す側面図である。
【図３】図１の２つの組電池から導電ユニットを取り外した状態を部分的に示す斜視図である。
【図４】２つの組電池から導電ユニットを取り外した上で、１つの組電池から加圧ユニット（上部加圧板と下部加圧板と左右の側板）を取り外し、かつ、バスバユニットの一部（保護カバーとアノード側ターミナルとカソード側ターミナル）を取り外した状態を示す斜視図である。
【図５】導電ユニットを構成部材毎に分解して上方から示す斜視図である。
【図６】図５の導電ユニットのプロテクタの本体部の一部を示す斜視図である。
【図７】導電ユニットを構成部材毎に分解して下方から示す斜視図である。
【図８】図７の導電ユニットのプロテクタの被覆部の一部を示す斜視図である。
【図９Ａ】導電ユニットを断面によって示す側面図である。
【図９Ｂ】図９Ａの導電ユニットを構成部材毎に分解して示す側面図である。
【図１０Ａ】積層した単電池の電極タブに電極タブ用バスバを接合した状態の要部を断面によって示す斜視図である。
【図１０Ｂ】図１０Ａを側方から示す側面図である。
【図１１】図４に示す積層体から、バスバホルダと電極タブ用バスバを取り外した状態を示す斜視図である。
【図１２】図１１に示す第１セルサブアッシと第２セルサブアッシを電極タブ用バスバによって電気的に接続する状態を示す斜視図である。
【図１３】図１１に示す第１セルサブアッシ（並列接続する３組の単電池）を単電池毎に分解し、かつ、そのうちの１つ（最上部）の単電池から第１スペーサと第２スペーサを取り外した状態を示す斜視図である。
【発明を実施するための形態】
【００１０】
以下、添付した図面を参照しながら、本発明の実施形態を説明する。図面において、同一の部材には同一の符号を付し、重複する説明を省略する。図面において、各部材の大きさや比率は、実施形態の理解を容易にするために誇張し、実際の大きさや比率とは異なる場合がある。
【００１１】
各図において、Ｘ、Ｙ、およびＺで表す矢印を用いて、組電池１００の方位を示している。Ｘによって表す矢印の方向は、組電池１００の長手方向を示している。Ｙによって表す矢印の方向は、組電池１００の短手方向を示している。Ｚによって表す矢印の方向は、組電池１００の積層方向を示している。
【００１２】
図１は、実施形態に係る２つの組電池１００を導電ユニット１４０によって電気的に接続した状態の組電池パック１０を示す斜視図である。図２は、図１の組電池パック１０を部分的に示す側面図である。図３は、図１の２つの組電池１００から導電ユニット１４０を取り外した状態を部分的に示す斜視図である。図４は、２つの組電池１００から導電ユニット１４０を取り外した上で、１つの組電池１００から加圧ユニット１２０（上部加圧板１２１と下部加圧板１２２と左右の側板１２３）を取り外し、かつ、バスバユニット１３０の一部（保護カバー１３５とアノード側ターミナル１３３とカソード側ターミナル１３４）を取り外した状態を示す斜視図である。
【００１３】
図５は、導電ユニット１４０を構成部材毎に分解して上方から示す斜視図である。図６は、図５の導電ユニット１４０のプロテクタ１４２の本体部１４２Ｍの一部を示す斜視図である。図７は、導電ユニット１４０を構成部材毎に分解して下方から示す斜視図である。図８は、図７の導電ユニット１４０のプロテクタ１４２の被覆部１４２Ｎの一部を示す斜視図である。図９Ａは、導電ユニット１４０を断面によって示す側面図である。図９Ｂは、図９Ａの導電ユニット１４０を構成部材毎に分解して示す側面図である。
【００１４】
図１０Ａは、積層した単電池１１０の電極タブ１１２に電極タブ用バスバ１３２を接合した状態の要部を断面によって示す斜視図である。図１０Ｂは、図１０Ａを側方から示す側面図である。図１１は、図４に示す積層体１１０Ｓから、バスバホルダ１３１と電極タブ用バスバ１３２を取り外した状態を示す斜視図である。図１２は、図１１に示す第１セルサブアッシ１１０Ｍと第２セルサブアッシ１１０Ｎを電極タブ用バスバ１３２によって電気的に接続する状態を示す斜視図である。図１３は、図１１に示す第１セルサブアッシ１１０Ｍ（並列接続する３組の単電池１１０）を単電池１１０毎に分解し、かつ、そのうちの１つ（最上部）の単電池１１０から第１スペーサ１１４と第２スペーサ１１５を取り外した状態を示す斜視図である。
【００１５】
図３を参照して、実施形態に係る保持部材（プロテクタ１４２）は、概説すれば、単電池１１０を複数備えた第１の組電池１００のターミナル（アノード側ターミナル１３３）と、単電池１１０を複数備えた第２の組電池１００のターミナル（カソード側ターミナル１３４）のそれぞれに締結部材（ボルト１４３）によって締結されるバスバ１４１を保持するものである。プロテクタ１４２は、保持部（本体部１４２Ｍ）と、取付部（スナップフィット１４２ｃ）と、規制部（リブ１４２ｄ）と、を有する。本体部１４２Ｍは、絶縁性を有してバスバ１４１を保持する。スナップフィット１４２ｃは、本体部１４２Ｍに連結され、本体部１４２Ｍを、本体部１４２Ｍとは別の外部部材に取り付ける。リブ１４２ｄは、スナップフィット１４２ｃに連結され、ボルト１４３によるターミナル（アノード側ターミナル１３３およびカソード側ターミナル１３４）とバスバ１４１との締結に伴って外部部材に当接することでバスバ１４１の回転を規制する。
【００１６】
図３を参照して、実施形態に係る組電池パック１０は、概説すれば、複数の組電池１００と、バスバ１４１と、一対の締結部材（ボルト１４３）と、上記の保持部材（プロテクタ１４２）と、を有する。組電池１００は、複数の単電池１１０と、電気的に接続された複数の単電池１１０のアノード側の終端に接続したアノード側ターミナル１３３と、電気的に接続された複数の単電池１１０のカソード側の終端に接続したカソード側ターミナル１３４と、を備えている。バスバ１４１は、第１の組電池１００のアノード側ターミナル１３３と、第２の組電池１００のカソード側ターミナル１３４と、を電気的に接続する。ボルト１４３は、第１の組電池１００のアノード側ターミナル１３３とバスバ１４１の一端１４１ｃとを締結し、第２の組電池１００のカソード側ターミナル１３４とバスバ１４１の他端１４１ｄとを締結する。
【００１７】
組電池１００は、例えば電気自動車のような車両に複数搭載され、車両用モータを駆動させる電源として使用される。各々の組電池１００は、導電ユニット１４０によって電気的に接続して構成している。
【００１８】
実施形態の組電池パック１０は、２つの組電池１００を導電ユニット１４０によって接続して構成している。組電池パック１０は、実際に電気自動車に用いる場合、例えば、同一の仕様の１６の組電池１００を、長さや形状が異なる１５の導電ユニット１４０によって直列に接続して構成する。
【００１９】
各々の組電池１００は、複数の単電池１１０を積層してなる積層体１１０Ｓを、加圧ユニット１２０によって加圧した状態において、バスバユニット１３０によって電気的に接続して構成している。すなわち、１つの組電池１００は、積層体１１０Ｓ、加圧ユニット１２０、およびバスバユニット１３０によって構成している。
【００２０】
以下、組電池１００の構成（積層体１１０Ｓ、加圧ユニット１２０、およびバスバユニット１３０）と、各々の組電池１００を電気的に接続する構成（導電ユニット１４０）を説明する。
【００２１】
積層体１１０Ｓの構成を詳述する。
【００２２】
積層体１１０Ｓは、図１１に示すように、電気的に並列接続した３つの単電池１１０からなる第１セルサブアッシ１１０Ｍと、電気的に並列接続した３つの単電池１１０からなる第２セルサブアッシ１１０Ｎを、交互に直列接続して構成している。
【００２３】
第１セルサブアッシ１１０Ｍは、図１１に示すように、組電池１００において、下から２段目、４段目、および６段目に位置する３つの単電池１１０に相当する。第２セルサブアッシ１１０Ｎは、図１１に示すように、組電池１００において、下から１段目（最下段）、３段目、５段目、および７段目（最上段）に位置する３つの単電池１１０に相当する。
【００２４】
第１セルサブアッシ１１０Ｍと第２セルサブアッシ１１０Ｎは、同様の構成からなる。但し、第１セルサブアッシ１１０Ｍと第２セルサブアッシ１１０Ｎは、図１１および図１２に示すように、３つの単電池１１０の天地を入れ替えることによって、３つのアノード側電極タブ１１２Ａと３つのカソード側電極タブ１１２ＫがＺ方向に沿って交互に位置するように配置している。図１２は、例えば、下から４段目の第１セルサブアッシ１１０Ｍと、下から３段目の第２セルサブアッシ１１０Ｎを示している。
【００２５】
第１セルサブアッシ１１０Ｍは、図１１および図１２に示すように、全てのアノード側電極タブ１１２Ａが図中右側に位置し、全てのカソード側電極タブ１１２Ｋが図中左側に位置している。一方、第２セルサブアッシ１１０Ｎは、図１１および図１２に示すように、全てのアノード側電極タブ１１２Ａが図中左側に位置し、全てのカソード側電極タブ１１２Ｋが図中右側に位置している。
【００２６】
第１セルサブアッシ１１０Ｍおよび第２セルサブアッシ１１０Ｎにおいて、３つの単電池１１０毎にアノード側電極タブ１１２Ａとカソード側電極タブ１１２ＫがＺ方向に沿って交互に並ぶように、その天地を単純に入れ替えただけでは、電極タブ１１２の先端部１１２ｄの向きがＺ方向の上下にばらついてしまう。このため、全ての単電池１１０の電極タブ１１２の先端部１１２ｄの向きが揃うように、各々の先端部１１２ｄを下方に屈折させている。
【００２７】
単電池１１０は、例えばリチウムイオン二次電池に相当する。単電池１１０は、車両用モータの駆動電圧の仕様を満たすために直列に複数接続する。単電池１１０は、電池の容量を確保して車両の走行距離を伸ばすために並列に複数接続する。
【００２８】
単電池１１０は、図１０Ａおよび図１０Ｂに示すように、充放電を行う発電要素１１１を含み扁平に形成した電池本体１１０Ｈ、発電要素１１１を外部に臨ませる電極タブ１１２、および発電要素１１１を封止するラミネートフィルム１１３を含んでいる。
【００２９】
発電要素１１１は、屋外の充電スタンド等から電力を充電した上で、車両用モータ等に対して放電して駆動電力を供給するものである。発電要素１１１は、セパレータによって分離されたアノードとカソードを複数組積層して構成している。
【００３０】
電極タブ１１２は、図１０Ａ、図１０Ｂおよび図１１に示すように、発電要素１１１を外部に臨ませるものである。電極タブ１１２は、アノード側電極タブ１１２Ａおよびカソード側電極タブ１１２Ｋから構成している。アノード側電極タブ１１２Ａの基端側は、１つの発電要素１１１に含まれる全てのアノードに接合している。アノード側電極タブ１１２Ａは、薄板状から形成し、アノードの特性に合わせてアルミニウムからなる。カソード側電極タブ１１２Ｋの基端側は、１つの発電要素１１１に含まれる全てのカソードに接合している。カソード側電極タブ１１２Ｋは、薄板状から形成し、カソードの特性に合わせて銅からなる。
【００３１】
電極タブ１１２は、図１０Ｂに示すように、発電要素１１１と隣接する基端部１１２ｃから先端部１１２ｄにかけてＬ字状に形成している。電極タブ１１２の先端部１１２ｄは、Ｚ方向の下方に沿って屈折している。電極タブ１１２の先端部１１２ｄの形状は、Ｌ字形状に限定されない。例えば、電極タブ１１２は、先端部１１２ｄをさらに延在させ、その延在部分を発電要素１１１側に折り返すようにして、Ｕ字形状に形成してもよい。また、電極タブ１１２の基端部１１２ｃは、波状に形成したり湾曲形状に形成したりしてもよい。電極タブ１１２の先端部１１２ｄは、電極タブ用バスバ１３２と面接触する。
【００３２】
ラミネートフィルム１１３は、図１０Ａおよび図１０Ｂに示すように、一対からなり、電池本体１１０ＨをＺ方向に沿った上下から挟み込んで封止するものである。一対のラミネートフィルム１１３は、Ｙ方向に沿った一端部１１３ａの隙間から外部に向かって、アノード側電極タブ１１２Ａおよびカソード側電極タブ１１２Ｋを導出させている。
【００３３】
単電池１１０は、図１３に示すように一対のスペーサ（第１スペーサ１１４および第２スペーサ１１５）によって支持された状態において、図１０および図１１に示すように積層される。
【００３４】
一対のスペーサ（第１スペーサ１１４および第２スペーサ１１５）は、図４、図１０Ａおよび図１０Ｂに示すように、単電池１１０をＺ方向に沿って一定の間隔で配置している。第１スペーサ１１４は、電極タブ１１２を備えた側の単電池１１０を支持する。第２スペーサ１１５は、第１スペーサ１１４と単電池１１０のＸ方向において対向するように、電極タブ１１２を備えていない側の単電池１１０を支持する。
【００３５】
第１スペーサ１１４は、図１３に示すように、凹凸を備えた長尺な板形状から形成し、絶縁性を備えた強化プラスチックスからなる。第１スペーサ１１４は、一対のラミネートフィルム１１３の一端部１１３ａに対向するように設けている。第１スペーサ１１４は、図１０Ｂおよび図１３に示すように、平坦な支持面１１４ｂによって、ラミネートフィルム１１３の一端部１１３ａを支持している。第１スペーサ１１４は、支持面１１４ｂと隣接しＺ方向に沿った壁面に当接面１１４ｈを備えている。当接面１１４ｈは、図１０Ｂに示すように、電極タブ１１２の先端部１１２ｄをＸ方向に沿って位置決めしている。第１スペーサ１１４は、図１３に示すように、支持面１１４ｂのＹ方向に沿った両端に、それぞれ上方に向かって突出した一対の連結ピン１１４ｃを備えている。一対の連結ピン１１４ｃは、円柱形状からなり、ラミネートフィルム１１３の一端部１１３ａのＹ方向に沿った両端に開口した連結孔１１３ｃに挿入することによって、単電池１１０を位置決めしている。
【００３６】
複数の第１スペーサ１１４は、図１０Ｂに示すように、一の第１スペーサ１１４の上面１１４ａと、他の第１スペーサ１１４の下面１１４ｄが当接している。複数の第１スペーサ１１４は、図１０Ｂに示すように、一の第１スペーサ１１４の上面１１４ａから突出した円柱形状の位置決ピン１１４ｅと、他の第１スペーサ１１４の下面１１４ｄに開口した位置決穴１１４ｆを嵌合させることによって、互いに位置決めしている。第１スペーサ１１４は、図１３に示すように、Ｙ方向に沿った両端に、ロケート孔１１４ｇを両端に備えている。ロケート孔１１４ｇは、複数の組電池１００同士をＺ方向に沿って位置決めしつつ連結するボルトを挿入する。
【００３７】
第２スペーサ１１５は、電極タブ１１２を支持する必要がないことから、第１スペーサ１１４を簡略化して構成している。第２スペーサ１１５は、図１３に示すように、第１スペーサ１１４と同様に、ラミネートフィルム１１３の他端部１１３ｂを支持する支持面１１５ｂ、第２スペーサ同士を位置決めする位置決ピン１１４ｅ、単電池１１０を位置決めする連結ピン１１５ｃ、および複数の組電池１００同士を位置決めしつつ連結するボルトを挿入するロケート孔１１５ｇを備えている。
【００３８】
加圧ユニット１２０の構成を詳述する。
【００３９】
加圧ユニット１２０は、積層体１１０Ｓの各々の単電池１１０の発電要素１１１を上下から加圧する上部加圧板１２１と下部加圧板１２２、および積層体１１０Ｓを加圧した状態の上部加圧板１２１および下部加圧板１２２を固定する一対の側板１２３を含んでいる。
【００４０】
上部加圧板１２１は、図１および図４に示すように、下部加圧板１２２と共に、積層体１１０Ｓを構成する複数の単電池１１０を上下から挟み込んで保持しつつ、各々の単電池１１０の発電要素１１１を加圧するものである。上部加圧板１２１は、凹凸を備えた板状に形成し、十分な剛性を備えた金属からなる。上部加圧板１２１は、水平面上に設けている。上部加圧板１２１は、図４に示すように、発電要素１１１を下方に向かって加圧する加圧面１２１ａを備えている。加圧面１２１ａは、平坦に形成され、上部加圧板１２１の中央の部分から下方に向かって突出している。上部加圧板１２１は、組電池１００同士を連結するボルトを挿入するロケート孔１２１ｂを備えている。ロケート孔１２１ｂは、貫通孔からなり、上部加圧板１２１の四隅に開口している。上部加圧板１２１は、図１、図３、および図４に示すように、加圧面１２１ａの外側の四隅に、矩形状の穴１２１ｃを備えている。
【００４１】
下部加圧板１２２は、図４に示すように、上部加圧板１２１と同一の形状からなり、上部加圧板１２１の天地を逆転させるように設けている。下部加圧板１２２は、上部加圧板１２１と同様に、発電要素１１１を上方に向かって加圧する加圧面１２２ａ、および組電池１００同士をＺ方向に沿って位置決めしつつ連結するボルトを挿入するロケート孔１２２ｂを備えている。下部加圧板１２２は、上部加圧板１２１と異なり、加圧面１２２ａの外側の四隅に、穴を備えていない。
【００４２】
一対の側板１２３は、図１および図４に示すように、積層体１１０Ｓを加圧した状態の上部加圧板１２１および下部加圧板１２２を固定するものである。すなわち、一対の側板１２３は、上部加圧板１２１および下部加圧板１２２の間隔を一定に維持する。また、一対の側板１２３は、積層した単電池１１０のＸ方向に沿った側面を被覆して保護する。側板１２３は、平板状に形成し、金属からなる。一対の側板１２３は、積層した単電池１１０のＸ方向に沿った両側面に対向するように、起立して設けている。一対の側板１２３は、上部加圧板１２１および下部加圧板１２２に対して溶接している。
【００４３】
バスバユニット１３０の構成を詳述する。
【００４４】
バスバユニット１３０は、複数の電極タブ用バスバ１３２を一体的に保持するバスバホルダ１３１、上下に並んだ単電池１１０の電極タブ１１２を電気的に接続する電極タブ用バスバ１３２、電気的に接続された複数の単電池１１０のアノード側の終端を導電ユニット１４０や外部の入出力端子に臨ませるアノード側ターミナル１３３、電気的に接続された複数の単電池１１０のカソード側の終端を導電ユニット１４０や外部の入出力端子に臨ませるカソード側ターミナル１３４、および電極タブ用バスバ１３２等を保護する保護カバー１３５を含んでいる。
【００４５】
バスバホルダ１３１は、図４および図１１に示すように、複数の電極タブ用バスバ１３２を一体的に保持するものである。バスバホルダ１３１は、複数の電極タブ用バスバ１３２を、積層体１１０Ｓの各々の単電池１１０の電極タブ１１２に対面するように、マトリクス状に一体的に保持している。バスバホルダ１３１は、絶縁性を備えた樹脂からなり、枠状に形成している。
【００４６】
バスバホルダ１３１は、図１１に示すように、単電池１１０の電極タブ１１２を支持している方の第１スペーサ１１４の長手方向の両側に位置するように、Ｚ方向に沿って起立した一対の支柱部１３１ａをそれぞれ備えている。一対の支柱部１３１ａは、第１スペーサ１１４の側面に嵌合する。一対の支柱部１３１ａは、Ｚ方向に沿って視認した場合にＬ字状であって、Ｚ方向に沿って延在した板状に形成している。バスバホルダ１３１は、第１スペーサ１１４の長手方向の中央付近に位置するように、Ｚ方向に沿って起立した一対の補助支柱部１３１ｂを離間させて備えている。一対の補助支柱部１３１ｂは、Ｚ方向に沿って延在した板状に形成している。
【００４７】
バスバホルダ１３１は、図１１に示すように、Ｚ方向に沿って隣り合う電極タブ用バスバ１３２の間にそれぞれ突出する絶縁部１３１ｃを備えている。絶縁部１３１ｃは、Ｙ方向に沿って延在した板状に形成している。各々の絶縁部１３１ｃは、補助支柱部１３１ｂと補助支柱部１３１ｂの間に水平に備えている。絶縁部１３１ｃは、Ｚ方向に沿って隣り合う電極タブ用バスバ１３２の間を絶縁することによって放電を防止する。
【００４８】
バスバホルダ１３１は、それぞれ独立して形成した支柱部１３１ａと補助支柱部１３１ｂおよび絶縁部１３１ｃを互いに接合して構成してもよいし、支柱部１３１ａと補助支柱部１３１ｂおよび絶縁部１３１ｃを一体的に成形して構成してもよい。
【００４９】
電極タブ用バスバ１３２は、図４、図１０Ａ、図１０Ｂ、図１１および図１２に示すように、上下に並んだ単電池１１０の電極タブ１１２を電気的に接続するものである。電極タブ用バスバ１３２は、一の単電池１１０のアノード側電極タブ１１２Ａと、他の単電池１１０のカソード側電極タブ１１２Ｋを電気的に接続する。電極タブ用バスバ１３２は、図１２に示すように、例えば、第１セルサブアッシ１１０Ｍにおいて上下に３つ並んだアノード側電極タブ１１２Ａと、第２セルサブアッシ１１０Ｎにおいて上下に３つ並んだカソード側電極タブ１１２Ｋを電気的に接続する。
【００５０】
すなわち、電極タブ用バスバ１３２は、図１２に示すように、例えば、第１セルサブアッシ１１０Ｍの３つのアノード側電極タブ１１２Ａを並列接続し、かつ、第２セルサブアッシ１１０Ｎの３つのカソード側電極タブ１１２Ｋを並列接続する。さらに、電極タブ用バスバ１３２は、第１セルサブアッシ１１０Ｍの３つのアノード側電極タブ１１２Ａと、第２セルサブアッシ１１０Ｎの３つのカソード側電極タブ１１２Ｋを直列接続する。電極タブ用バスバ１３２は、一の単電池１１０のアノード側電極タブ１１２Ａと、他の単電池１１０のカソード側電極タブ１１２Ｋに対してレーザ溶接している。
【００５１】
電極タブ用バスバ１３２は、図１０Ａ、図１０Ｂおよび図１１に示すように、アノード側電極タブ用バスバ１３２Ａとカソード側電極タブ用バスバ１３２Ｋを接合して構成している。アノード側電極タブ用バスバ１３２Ａとカソード側電極タブ用バスバ１３２Ｋは、同一の形状からなり、それぞれＬ字状に形成している。電極タブ用バスバ１３２は、図１０Ａ、図１０Ｂおよび図１１に示すように、アノード側電極タブ用バスバ１３２Ａの屈折した一端と、カソード側電極タブ用バスバ１３２Ｋの屈折した一端を接合してなる接合部１３２ｃによって、一体化している。電極タブ用バスバ１３２を構成するアノード側電極タブ用バスバ１３２Ａおよびカソード側電極タブ用バスバ１３２Ｋは、図１１に示すように、Ｙ方向に沿った両端にバスバホルダ１３１と接合する側部１３２ｄを備えている。
【００５２】
アノード側電極タブ用バスバ１３２Ａは、単電池１１０のアノード側電極タブ１１２Ａと同様に、アルミニウムからなる。カソード側電極タブ用バスバ１３２Ｋは、単電池１１０のカソード側電極タブ１１２Ｋと同様に、銅からなる。異なる金属からなるアノード側電極タブ用バスバ１３２Ａとカソード側電極タブ用バスバ１３２Ｋは、超音波接合によって互いに接合し、図１０Ａに示すように接合部１３２ｃを形成している。
【００５３】
マトリクス状に配設した電極タブ用バスバ１３２のうち、図１１の左下に位置する電極タブ用バスバ１３２は、２１つの単電池１１０（３並列７直列）のアノード側の終端に相当し、アノード側電極タブ用バスバ１３２Ａのみから構成している。このアノード側電極タブ用バスバ１３２Ａは、図１１に示すように、積層した単電池１１０のうち最下部の左側の３つの単電池１１０のアノード側電極タブ１１２Ａに対してレーザ接合している。
【００５４】
マトリクス状に配設した電極タブ用バスバ１３２のうち、図１１の右上に位置する電極タブ用バスバ１３２は、２１つの単電池１１０（３並列７直列）のカソード側の終端に相当し、カソード側電極タブ用バスバ１３２Ｋのみから構成している。このカソード側電極タブ用バスバ１３２Ｋは、図１１に示すように、積層した単電池１１０のうち最上部の右側の３つの単電池１１０のカソード側電極タブ１１２Ｋに対してレーザ接合している。
【００５５】
アノード側ターミナル１３３は、図１、図３および図４に示すように、電気的に接続された複数の単電池１１０のアノード側の終端を、導電ユニット１４０や外部の入出力端子に臨ませるものである。アノード側ターミナル１３３は、図４に示すように、マトリクス状に配設した電極タブ用バスバ１３２のうち、図中左下に位置するアノード側電極タブ用バスバ１３２Ａに接合する。
【００５６】
アノード側ターミナル１３３は、図４に示すように、板状に形成し、Ｚ方向に沿って起立した側面１３３ａの上方に位置する一端１３３ｂと、側面１３３ａの下方に位置する他端１３３ｃを、それぞれ爪のようにＸ方向に向かって屈折させている。一端１３３ｂは、導電ユニット１４０のボルト１４３をネジ留めするネジ溝１３３ｄを備えている。他端１３３ｃは、アノード側電極タブ用バスバ１３２ＡとＺ方向に沿って対面するように、Ｘ方向に加えてＺ方向にも屈折して形成している。アノード側ターミナル１３３は、導電性を備えた金属からなる。
【００５７】
カソード側ターミナル１３４は、図１、図３および図４に示すように、電気的に接続された複数の単電池１１０のカソード側の終端を、導電ユニット１４０や外部の入出力端子に臨ませるものである。カソード側ターミナル１３４は、図４に示すように、マトリクス状に配設した電極タブ用バスバ１３２のうち、図中右上に位置するカソード側電極タブ用バスバ１３２Ｋに接合する。
【００５８】
カソード側ターミナル１３４は、図４に示すように、板状に形成し、Ｚ方向に沿って起立した側面１３４ａの上方に位置する一端１３４ｂと、側面１３４ａの下方に位置する他端１３４ｃを、それぞれ爪のようにＸ方向に向かって屈折させている。一端１３４ｂは、導電ユニット１４０のボルト１４３をネジ留めするネジ溝１３４ｄを備えている。他端１３４ｃは、カソード側電極タブ用バスバ１３２ＫとＺ方向に沿って対面するように、Ｘ方向に加えてＺ方向にも屈折して形成している。カソード側ターミナル１３４の側面１３４ａは、アノード側ターミナル１３３の側面１３３ａと比較して、Ｚ方向に沿った長さが短い。カソード側ターミナル１３４は、導電性を備えた金属からなる。
【００５９】
保護カバー１３５は、図１および図４に示すように、複数の電極タブ用バスバ１３２、アノード側ターミナル１３３、およびカソード側ターミナル１３４を保護するものである。すなわち、保護カバー１３５は、複数の電極タブ用バスバ１３２等を一体的に被覆することによって、複数の電極タブ用バスバ１３２等が他の部材等と接触して電気的な短絡が発生することを防止する。保護カバー１３５は、図４に示すように、Ｚ方向に沿って起立した側面１３５ａの上方に位置する一端１３５ｂと、側面１３５ａの下方に位置する他端１３５ｃを、それぞれ爪のようにＸ方向に向かって屈折し、絶縁性を備えたプラスチックスからなる。
【００６０】
保護カバー１３５は、側面１３５ａによって、複数の電極タブ用バスバ１３２、アノード側ターミナル１３３、およびカソード側ターミナル１３４を被覆しつつ、一端１３５ｂと他端１３５ｃによってバスバホルダ１３１を上下から挟み込んで固定している。保護カバー１３５は、矩形状の切り欠きからなりアノード側ターミナル１３３を外部に臨ませる第１切欠１３５ｄと、矩形状の切り欠きからなりカソード側ターミナル１３４を外部に臨ませる第２切欠１３５ｅを、それぞれ一端１３５ｂに備えている。
【００６１】
導電ユニット１４０の構成（バスバ１４１、プロテクタ１４２、およびボルト１４３）を詳述する。
【００６２】
バスバ１４１は、図３〜図９Ｂ等に示し、第１の組電池１００と第２の組電池１００を電気的に接続する。
【００６３】
バスバ１４１は、図５および図７に示すように、裏面１４１ａと表面１４１ｂを備えた長尺な板形状の金属から構成している。長尺なバスバ１４１は、その両端（一端１４１ｃおよび他端１４１ｄ）が図５中の左右に位置するように、Ｙ方向に沿って配置している。バスバ１４１の一端１４１ｃは、図５に示すように、Ｚ方向の下方に向かって屈折し、かつ、その屈折した部分がＸ方向に沿ってバスバ１４１の中央部分から遠ざかるように屈折している。バスバ１４１の一端１４１ｃは、ボルト１４３を挿入させるネジ穴１４１ｅを備えている。バスバ１４１の一端１４１ｃは、第１の組電池１００のアノード側ターミナル１３３の一端１３３ｂに接続する。
【００６４】
バスバ１４１の他端１４１ｄは、図５に示すように、バスバ１４１の一端１４１ｃと同様に、Ｚ方向の下方に向かって屈折し、かつ、その屈折した部分がＸ方向に沿ってバスバ１４１の中央部分から遠ざかるように屈折している。バスバ１４１の他端１４１ｄは、バスバ１４１の一端１４１ｃと同様に、ボルト１４３を挿入させるネジ穴１４１ｆを備えている。バスバ１４１の他端１４１ｄは、第２の組電池１００のカソード側ターミナル１３４の一端１３４ｂに接続する。バスバ１４１は、例えば、導電性に優れた銅やアルミニウムからなる。
【００６５】
プロテクタ１４２は、図３〜図９Ｂ等に示し、バスバ１４１を保持する。
【００６６】
プロテクタ１４２は、図５、図７、および図９Ｂに示すように、絶縁性を備えバスバ１４１を収容して保持する本体部１４２Ｍと、絶縁性を備えバスバ１４１を被覆する被覆部１４２Ｎを、互いに分離自在に備えている。
【００６７】
本体部１４２Ｍは、図９Ａに示すように、被覆部１４２Ｎによって被覆された状態のバスバ１４１を収容する。本体部１４２Ｍは、図７、図９Ａ、および図９Ｂに示すように、スナップフィット１４２ｃと一体に形成している。スナップフィット１４２ｃは、図３に示す組電池１００の上部加圧板１２１の穴１２１ｃの内縁に当接させて取り付けるものである。
【００６８】
本体部１４２Ｍは、図７、図９Ａ、および図９Ｂに示すように、リブ１４２ｄと一体に形成している。リブ１４２ｄは、図３に示す組電池１００の上部加圧板１２１の穴１２１ｃの内縁に当接して、バスバ１４１の回転を規制するためのものである。すなわち、リブ１４２ｄは、スナップフィット１４２ｃと共に、バスバ１４１の周り留めの機能を備えている。本体部１４２Ｍは、図５、図６、および図９Ｂに示すように、上方に開口を備えた凹形状からなり、内側面１４２ｈから内方に向かって突出した突起１４２ｉを備えている。
【００６９】
具体的には、本体部１４２Ｍは、図５および図７に示すように、裏面１４２ａと表面１４２ｂを備えた長尺な板形状の絶縁体から構成している。長尺な本体部１４２Ｍは、バスバ１４１と同様に、Ｙ方向に沿って配置している。スナップフィット１４２ｃは、板状に形成し、裏面１４２ａからＺ方向の下方に向かって突出している。スナップフィット１４２ｃは、Ｚ方向の最下部に相当する先端を鉤状に形成している。スナップフィット１４２ｃの先端は、上部加圧板１２１の穴１２１ｃの径方向外方に向かうように突出し、その穴１２１ｃの内縁に引っ掛けている。リブ１４２ｄは、長方体形状に形成し、裏面１４２ａからＺ方向の下方に向かって突出している。
【００７０】
本体部１４２Ｍにおいて、スナップフィット１４２ｃとリブ１４２ｄは、上部加圧板１２１の同一の穴１２１ｃの内縁に対向して取り付けられるように、本体部１４２Ｍの裏面１４２ａにおいて、互いに対向するように近付けて形成している。スナップフィット１４２ｃとリブ１４２ｄは、上部加圧板１２１の同一の穴１２１ｃに挿入した状態において、スナップフィット１４２ｃの側面と穴１２１ｃの内縁とが接触し、かつ、リブ１４２ｄの側面と穴１２１ｃの内縁が接触している。
【００７１】
本体部１４２Ｍは、一端１４１ｃおよび他端１４１ｄを除くバスバ１４１の裏面１４１ａの形状に対応した下部保持面１４２ｅを、表面１４２ｂの側に備えている。本体部１４２Ｍにおいて、下部保持面１４２ｅは、表面１４２ｂよりもＺ方向に沿って若干高くなるように、段差を設けている。下部保持面１４２ｅは、そのＸ方向の両側面において、Ｙ方向に沿って互いに対向する第１内壁１４２ｆおよび第１外壁１４２ｇを上方に突出させている。下部保持面１４２ｅ、第１内壁１４２ｆ、および第１外壁１４２ｇによって構成される凹状の部分に、被覆部１４２Ｎによって被覆されたバスバ１４１を収納する。下部保持面１４２ｅは、バスバ１４１の裏面１４１ａに当接して、バスバ１４１を保持する。
【００７２】
本体部１４２Ｍにおいて、第１内壁１４２ｆと第１外壁１４２ｇが対向した各々の面が、突起１４２ｉを備えた内側面１４２ｈに相当する。突起１４２ｉは、第１内壁１４２ｆの内側面１４２ｈにおいて、Ｙ方向に沿って十分に離間させて２つ備えている。同様に、突起１４２ｉは、第１外壁１４２ｇの内側面１４２ｈにおいて、Ｙ方向に沿って十分に離間させて２つ備えている。第１内壁１４２ｆの内側面１４２ｈの突起１４２ｉは、第１外壁１４２ｇの内側面１４２ｈの突起１４２ｉとＸ方向に沿って対向している。すなわち、突起１４２ｉは、くさびとしての機能を備えている。
【００７３】
本体部１４２Ｍは、裏面１４２ａの側に形成したスナップフィット１４２ｃとリブ１４２ｄに対向するように、表面１４２ｂの側にＺ方向に向かって突出した３辺の壁面からなる補強壁１４２ｊを備えている。表面１４２ｂの側の補強壁１４２ｊは、裏面１４２ａの側のスナップフィット１４２ｃとリブ１４２ｄに掛かる振動や衝撃を吸収する。本体部１４２Ｍは、例えば、樹脂からなる。
【００７４】
被覆部１４２Ｎは、図９Ａに示すように、バスバ１４１の表面１４１ｂの側からバスバ１４１を被覆した状態において、バスバ１４１の表面１４１ｂと対向する裏面１４１ａの側からバスバ１４１と共に本体部１４２Ｍに収容される。被覆部１４２Ｎは、図７、図８、および図９Ｂに示すように、下方に開口を備えた凹形状からなり、内側面１４２ｓから内方に向かって突出した突起１４２ｔを備えている。
【００７５】
具体的には、被覆部１４２Ｎは、一端１４１ｃおよび他端１４１ｄを除くバスバ１４１の表面１４１ｂの形状に対応した上部保持面１４２ｐを備えている。上部保持面１４２ｐは、そのＸ方向の両側面において、Ｙ方向に沿って互いに対向する第２内壁１４２ｑおよび第２外壁１４２ｒを下方に突出させている。上部保持面１４２ｐ、第２内壁１４２ｑ、および第２外壁１４２ｒによって構成される凹状の部分によって、バスバ１４１を上方から被覆する。上部保持面１４２ｐは、バスバ１４１の表面１４１ｂに当接して、バスバ１４１を保持する。
【００７６】
被覆部１４２Ｎにおいて、第２内壁１４２ｑと第２外壁１４２ｒが対向した各々の面が、突起１４２ｔを備えた内側面１４２ｓに相当する。突起１４２ｔは、第２内壁１４２ｑの内側面１４２ｓにおいて、Ｙ方向に沿って十分に離間させて２つ備えている。同様に、突起１４２ｔは、第２外壁１４２ｒの内側面１４２ｓにおいて、Ｙ方向に沿って十分に離間させて２つ備えている。第２内壁１４２ｑの内側面１４２ｓの突起１４２ｔは、第２外壁１４２ｒの内側面１４２ｓの突起１４２ｔとＸ方向に沿って対向している。すなわち、突起１４２ｔは、くさびとしての機能を備えている。被覆部１４２Ｎは、例えば、樹脂からなる。
【００７７】
ボルト１４３は、図３〜図９Ｂ等に示し、バスバ１４１を組電池１００に締結する。
【００７８】
ボルト１４３は、例えば、六角ボルトからなる。一のボルト１４３は、バスバ１４１の一方のネジ穴１４１ｅに挿入され、第１の組電池１００のアノード側ターミナル１３３のネジ溝１３３ｄにネジ留めされる。他のボルト１４３は、バスバ１４１の他方のネジ穴１４１ｆに挿入され、第２の組電池１００のカソード側ターミナル１３４のネジ溝１３４ｄにネジ留めされる。
【００７９】
一のボルト１４３は、その頭部をスパナやレンチによって時計回りに回転されると、その頭部とアノード側ターミナル１３３の一端１３３ｂによって、バスバ１４１の一端１４１ｃを挟み込む。他のボルト１４３は、その頭部をスパナやレンチによって時計回りに回転されると、その頭部とカソード側ターミナル１３４の一端１３４ｂによって、バスバ１４１の他端１４１ｄを挟み込む。ボルト１４３の頭部に接触しているバスバ１４１は、ボルト１４３の回転に伴ってトルクが生じる。
【００８０】
以上説明した実施形態の作用効果を説明する。
【００８１】
プロテクタ１４２は、単電池１１０を複数備えた第１の組電池１００のターミナル（アノード側ターミナル１３３）と、単電池１１０を複数備えた第２の組電池１００のターミナル（カソード側ターミナル１３４）のそれぞれにボルト１４３によって締結されるバスバ１４１を保持するものである。プロテクタ１４２は、本体部１４２Ｍと、スナップフィット１４２ｃと、リブ１４２ｄと、を有する。本体部１４２Ｍは、絶縁性を有してバスバ１４１を保持する。スナップフィット１４２ｃは、本体部１４２Ｍに連結され、本体部１４２Ｍを、本体部１４２Ｍとは別の外部部材に取り付ける。リブ１４２ｄは、スナップフィット１４２ｃに連結され、ボルト１４３によるターミナル（アノード側ターミナル１３３およびカソード側ターミナル１３４）とバスバ１４１との締結に伴って外部部材に当接することでバスバ１４１の回転を規制する。
【００８２】
組電池パック１０は、複数の組電池１００と、バスバ１４１と、締結部材（ボルト１４３）と、上記のプロテクタ１４２と、を有する。組電池１００は、複数の単電池１１０と、電気的に接続された複数の単電池１１０のアノード側の終端に接続したアノード側ターミナル１３３と、電気的に接続された複数の単電池１１０のカソード側の終端に接続したカソード側ターミナル１３４と、を備えている。バスバ１４１は、第１の組電池１００のアノード側ターミナル１３３と、第２の組電池１００のカソード側ターミナル１３４と、を電気的に接続する。ボルト１４３は、第１の組電池１００のアノード側ターミナル１３３とバスバ１４１の一端１４１ｃとを締結し、第２の組電池１００のカソード側ターミナル１３４とバスバ１４１の他端１４１ｄとを締結する。
【００８３】
かかるプロテクタ１４２、およびプロテクタ１４２を有する組電池パック１０によれば、ボルト１４３を用いてバスバ１４１がアノード側ターミナル１３３またはカソード側ターミナル１３４に締結されるときに、ボルト１４３の回転に従動するバスバ１４１の回転を、上部加圧板１２１に当接したプロテクタ１４２のリブ１４２ｄによって、規制することができる。すなわち、プロテクタ１４２のリブ１４２ｄは、バスバ１４１の周り留めとして機能する。さらに、バスバ１４１に掛かる応力やバスバ１４１に伝播する振動や衝撃を、上部加圧板１２１に取り付けたプロテクタ１４２のスナップフィット１４２ｃによって、吸収することができる。したがって、プロテクタ１４２、およびプロテクタ１４２を有する組電池パック１０によれば、回転するボルト１４３によって締結され異なる組電池１００の間を電気的に接続するバスバ１４１を十分に保持することができる。
【００８４】
プロテクタ１４２において、本体部１４２Ｍは、バスバ１４１を収容する凹形状を有し、凹形状の内側面１４２ｈに、バスバ１４１と当接してバスバ１４１を支持する突起１４２ｉが形成されていることが好ましい。
【００８５】
かかるプロテクタ１４２によれば、本体部１４２Ｍによって、バスバ１４１と他の部材とを絶縁することができ、かつ、（被覆部１４２Ｎを介して）バスバ１４１を内部に挿入することによって容易に保持することができる。さらに、本体部１４２Ｍの突起１４２ｉによって、プロテクタ１４２と（被覆部１４２Ｎを介した）バスバ１４１との間のガタつき（隙間における部材の移動）を解消することができる。したがって、本体部１４２Ｍの突起１４２ｉは、バスバ１４１から伝播する振動や衝撃、およびバスバ１４１に対して伝播する振動や衝撃を（被覆部１４２Ｎを介して）効果的に吸収することができる。
【００８６】
また、かかるプロテクタ１４２によれば、本体部１４２Ｍの突起１４２ｉによって、プロテクタ１４２やバスバ１４１の製造誤差を吸収することができる。したがって、廉価に製造したプロテクタ１４２やバスバ１４１を用いることができる。
【００８７】
また、かかるプロテクタ１４２によれば、本体部１４２Ｍの突起１４２ｉによって、プロテクタ１４２と（被覆部１４２Ｎを介した）バスバ１４１の接触部分を減少させることができる。したがって、挿入に要する圧力を低減させて、プロテクタ１４２と（被覆部１４２Ｎを介した）バスバ１４１の組み付け性を向上させることができる。すなわち、製造に要する工数を短縮させることができる。
【００８８】
プロテクタ１４２は、絶縁性を備えバスバ１４１を被覆する凹形状からなり内側面１４２ｓから内方に向かって突出した突起１４２ｔを備えた被覆部１４２Ｎを、さらに有することが好ましい。被覆部１４２Ｎは、バスバ１４１の一面（表面１４１ｂ）の側からバスバ１４１を被覆した状態において、バスバ１４１の一面（表面１４１ｂ）と対向する他面（裏面１４１ａ）の側からバスバ１４１と共に保持部（本体部１４２Ｍ）に収容される。
【００８９】
かかるプロテクタ１４２によれば、被覆部１４２Ｎと本体部１４２Ｍによって、バスバ１４１と他の部材とを十分に絶縁することができ、かつ、バスバ１４１を内部に挿入することによって容易に被覆（組み付け）することができる。さらに、被覆部１４２Ｎの突起１４２ｔによって、プロテクタ１４２とバスバ１４１との間のガタつき（隙間における部材の移動）を解消することができる。したがって、被覆部１４２Ｎの突起１４２ｔは、バスバ１４１から伝播する振動や衝撃、およびバスバ１４１に対して伝播する振動や衝撃を効果的に吸収することができる。
【００９０】
また、かかるプロテクタ１４２によれば、被覆部１４２Ｎの突起１４２ｔによって、プロテクタ１４２やバスバ１４１の製造誤差を吸収することができる。したがって、廉価に製造したプロテクタ１４２やバスバ１４１を用いることができる。
【００９１】
また、かかるプロテクタ１４２によれば、被覆部１４２Ｎの突起１４２ｔによって、プロテクタ１４２とバスバ１４１の接触部分を減少させることができる。したがって、挿入に要する圧力を低減させて、プロテクタ１４２とバスバ１４１の組み付け性を向上させることができる。すなわち、製造に要する工数を短縮させることができる。
【００９２】
組電池パック１０において、外部部材は、複数の単電池１１０を両側から挟み込んで加圧する一対の加圧部材（上部加圧板１２１および下部加圧板１２２）の少なくとも一方であって、スナップフィット１４２ｃは、上部加圧板１２１に備えられた穴１２１ｃの内縁に当接させて取り付けることが好ましい。
【００９３】
かかる組電池パック１０によれば、プロテクタ１４２のスナップフィット１４２ｃを固定するためのブラケットを別途用意する必要がない。さらに、プロテクタ１４２のスナップフィット１４２ｃを取り付けるために、上部加圧板１２１に特別な構造を備えたり、上部加圧板１２１の外形形状を変更したりする必要がない。したがって、複数の組電池１００とプロテクタ１４２からなる組電池パック１０は、その体積効率を最大にすることができる。
【００９４】
また、かかる組電池パック１０によれば、上部加圧板１２１は、単電池１１０を加圧するために下方に向かって凸状（加圧面１２１ａに相当）に形成している。したがって、上部加圧板１２１の加圧面１２１ａの周囲の部分に穴１２１ｃを備え、その穴１２１ｃにプロテクタ１４２のスナップフィット１４２ｃを挿入しても、単電池１１０等との干渉を防止できる。
【００９５】
また、かかる組電池パック１０によれば、上部加圧板１２１は、単電池１１０を加圧するために十分な強度を備えている。したがって、上部加圧板１２１に穴１２１ｃを備えても、機械的な特性を維持することができる。
【００９６】
組電池パック１０において、リブ１４２ｄは、スナップフィット１４２ｃと対向するように同一の穴１２１ｃの内縁に当接させることが好ましい。
【００９７】
かかる組電池パック１０によれば、ボルト１４３の回転に従動するバスバ１４１の回転を、上部加圧板１２１の穴１２１ｃの内縁に対向するように設けたプロテクタ１４２のリブ１４２ｄとスナップフィット１４２ｃによって、効果的に規制することができる。さらに、組電池パック１０によれば、バスバ１４１に掛かる応力やバスバ１４１に伝播する振動や衝撃を、上部加圧板１２１の穴１２１ｃの内縁に対向するように設けたプロテクタ１４２のリブ１４２ｄとスナップフィット１４２ｃによって、効果的に吸収することができる。
【００９８】
また、かかる組電池パック１０によれば、リブ１４２ｄとスナップフィット１４２ｃを上部加圧板１２１の同一の穴１２１ｃの内縁に当接させることから、上部加圧板１２１の異なる穴１２１ｃの内縁に当接させる場合と比較して、プロテクタ１４２の形状を小さくすることができる。
【００９９】
また、かかる組電池パック１０によれば、上部加圧板１２１は、単電池１１０を加圧するために下方に向かって凸状（加圧面１２１ａに相当）に形成している。したがって、上部加圧板１２１の加圧面１２１ａの周囲の部分に穴１２１ｃを備え、その穴１２１ｃにプロテクタ１４２のリブ１４２ｄを挿入しても、単電池１１０等との干渉を防止できる。
【０１００】
そのほか、本発明は、特許請求の範囲に記載された構成に基づき様々な改変が可能であり、それらについても本発明の範疇である。
【０１０１】
例えば、実施形態において、組電池パック１０は、左右方向（Ｙ方向）に並べた２つの組電池１００を、１つの導電ユニット１４０によって接続する構成を説明したが、このような構成に限定されることはない。組電池パック１０は、左右方向（Ｙ方向）に加えて前後方向（Ｘ方向）や上下方向（Ｚ方向）に並べた複数の組電池１００を、長さや形状が異なる複数の導電ユニット１４０によって接続して構成することができる。
【０１０２】
また、実施形態において、プロテクタ１４２は、第１の組電池１００のアノード側ターミナル１３３と、第２の組電池１００のカソード側ターミナル１３４を接続するバスバ１４１を保持するものとして説明したが、このような構成に限定されることはない。プロテクタ１４２は、例えば、第１の組電池１００のアノード側ターミナル１３３と、第２の組電池１００アノード側ターミナル１３３を接続するバスバ１４１を保持するものとしてもよい。この場合、第１の組電池１００と第２の組電池１００は、電気的に並列に接続する。
【０１０３】
また、実施形態において、プロテクタ１４２のスナップフィット１４２ｃを取り付ける外部部材は、組電池１００の上部加圧板１２１として説明したが、このような構成に限定されることはない。外部部材は、組電池１００を搭載する車両に備えた筺体やブラケットとして構成することができる。
【０１０４】
また、実施形態において、プロテクタ１４２のスナップフィット１４２ｃを取り付ける外部部材と、プロテクタ１４２のリブ１４２ｄを当接させる外部部材は、同一の部材（上部加圧板１２１）として説明したが、異なる部材として構成してもよい。
【０１０５】
また、実施形態において、プロテクタ１４２のスナップフィット１４２ｃおよびリブ１４２ｄは、上部加圧板１２１の穴１２１ｃに接続する構成として説明したが、このような構成に限定されることはない。プロテクタ１４２のスナップフィット１４２ｃおよびリブ１４２ｄは、上部加圧板１２１等に備えた切欠きまたは突起に接続する構成としてもよい。
【０１０６】
また、実施形態において、プロテクタ１４２のスナップフィット１４２ｃおよびリブ１４２ｄを挿入する上部加圧板１２１の穴１２１ｃは、上部加圧板１２１をＺ方向に沿って貫通した穴として説明したが、このような構成に限定されることはない。穴１２１ｃは、プロテクタ１４２のスナップフィット１４２ｃおよびリブ１４２ｄを挿入可能な十分な深さを備えた凹状の穴によって構成してもよい。
【０１０７】
また、実施形態において、プロテクタ１４２のスナップフィット１４２ｃおよびリブ１４２ｄを挿入する上部加圧板１２１の穴１２１ｃは、同一の穴１２１ｃとして説明したが、異なる穴１２１ｃとして構成してもよい。
【０１０８】
また、実施形態において、リブ１４２ｄとスナップフィット１４２ｃを当接させる上部加圧板１２１の穴１２１ｃは、バスバ１４１とアノード側ターミナル１３３の固定点や、バスバ１４１とカソード側ターミナル１３４の固定点に近い場所に設定することによって、バスバ１４１の自重が固定点に掛かりにくい。したがって、穴１２１ｃと固定点との距離を短縮することによって、バスバ１４１の自重を軽減させて、バスバ１４１の周り留めとバスバ１４１の振動や衝撃の吸収を効果的に行うことができる。
【０１０９】
また、実施形態において、プロテクタ１４２は、被覆部１４２Ｎを備えなくてもよい。プロテクタ１４２は、被覆部１４２Ｎを備えない場合、本体部１４２Ｍの突起１４２ｉをバスバ１４１に当接させる。
【符号の説明】
【０１１０】
１０  組電池パック、
１００    組電池、
１１０    単電池、
１１０Ｍ  第１セルサブアッシ、
１１０Ｎ  第２セルサブアッシ、
１１０Ｓ  積層体、
１１０Ｈ  電池本体、
１１１    発電要素、
１１２    電極タブ、
１１２Ａ  アノード側電極タブ、
１１２Ｋ  カソード側電極タブ、
１１３    ラミネートフィルム、
１１４    第１スペーサ、
１１５    第２スペーサ、
１２０    加圧ユニット、
１２１    上部加圧板、
１２１ｃ  穴、
１２２    下部加圧板、
１２３    側板、
１３０    バスバユニット、
１３１    バスバホルダ、
１３２    電極タブ用バスバ、
１３２Ａ  アノード側電極タブ用バスバ、
１３２Ｋ  カソード側電極タブ用バスバ、
１３３    アノード側ターミナル、
１３４    カソード側ターミナル、
１３５    保護カバー、
１４０    導電ユニット、
１４１    バスバ、
１４１ａ  裏面（他面）、
１４１ｂ  表面（一面）、
１４１ｃ  一端、
１４１ｄ  他端、
１４１ｅ，１４１ｆ  ネジ穴、
１４２    プロテクタ（保持部材）、
１４２Ｍ  本体部（保持部）、
１４２Ｎ  被覆部、
１４２ｃ  スナップフィット（取付部）、
１４２ｄ  リブ（規制部）、
１４２ｈ，１４２ｓ  内側面、
１４２ｉ，１４２ｔ  突起、
１４３    ボルト、
Ｘ        組電池１００の長手方向、
Ｙ        組電池１００の短手方向、
Ｚ        組電池１００の積層方向。
【図１】
2018110082.tif 000003
【図２】
2018110082.tif 000004
【図３】
2018110082.tif 000005
【図４】
2018110082.tif 000006
【図５】
2018110082.tif 000007
【図６】
2018110082.tif 000008
【図７】
2018110082.tif 000009
【図８】
2018110082.tif 000010
【図９Ａ】
2018110082.tif 000011
【図９Ｂ】
2018110082.tif 000012
【図１０Ａ】
2018110082.tif 000013
【図１０Ｂ】
2018110082.tif 000014
【図１１】
2018110082.tif 000015
【図１２】
2018110082.tif 000016
【図１３】
2018110082.tif 000017